(57)【要約】  【課題】  強度と安全性の高いカバー開閉装置を提供する。  【解決手段】  カバー開閉装置１は、装置本体２に取り付けられて回動することにより開閉可能なカバー３と、カバー３に取り付けられてカバー３の開閉範囲を制限するストッパー部材１１とを備える。ストッパー部材１１は、カバー３に沿って延びる縁部を有する板状本体１２と、板状本体１２の縁部に設けられてストッパー部材１１をカバー３に固定するための固定部１３と、板状本体１２から突出するように設けられた開き止め部１４とを備える。開き止め部１４は、開閉範囲の最大開き位置までカバー３を開いたときに、装置本体２に設けられた当接ピン９に当接する。【選択図】  図１
2009091863.tif 000002
【特許請求の範囲】
【請求項１】
装置本体に取り付けられ、回動することにより開閉可能なカバーと、
前記カバーに取り付けられ、前記カバーの開閉範囲を制限するストッパー部材と、
を備え、
前記ストッパー部材は、
前記カバーに沿って延びる縁部を有する板状本体と、
前記板状本体の縁部に設けられ、前記ストッパー部材を前記カバーに固定するための固定部と、
前記板状本体から突出するように設けられ、前記開閉範囲の最大開き位置まで前記カバーを開いた状態で前記装置本体に設けられた当接部に当接する開き止め部と、
を備えたことを特徴とするカバー開閉装置。
【請求項２】
前記ストッパー部材は、前記カバーの回動中心軸の近傍に配置されており、
前記固定部と前記開き止め部は、前記回動中心軸から放射状に延びる二つの縁部に設けられていることを特徴とする請求項１に記載のカバー開閉装置。
【請求項３】
前記ストッパー部材は、前記装置本体の内部に向けて突出するように前記カバーの内側の面に取り付けられており、前記カバーを閉めた状態で前記装置本体の内部に収納されることを特徴とする請求項１または請求項２に記載のカバー開閉装置。
【請求項４】
前記ストッパー部材は、放熱用の孔部を備えており、
前記放熱用の孔部は、前記カバーを閉めた状態で、前記装置本体に設けられた放熱用の開口部に対応する位置に配置されていることを特徴とする請求項１ないし請求項３のいずれかに記載のカバー開閉装置。
【発明の詳細な説明】
【技術分野】
【０００１】
本発明は、装置本体のカバーを回動することにより開閉するカバー開閉装置に関するものである。
【背景技術】
【０００２】
従来、装置本体に取り付けられたカバーを回動させることによって開閉する機構として、扉開閉機構が知られている（例えば特許文献１参照）。従来の扉開閉機構では、扉に円弧状の開き止めレールが設けられており、その開き止めレールに円弧状のガイド穴が形成されている。ガイド穴にはガイドピンが挿入され、そのガイドピンは筐体に固定される。扉を開閉するときには、開き止めレールがガイドピンでガイドされ、扉の開閉範囲が制限される。
【特許文献１】特開２００２−５４３４４号公報（第２−４頁、第１図）
【発明の開示】
【発明が解決しようとする課題】
【０００３】
しかしながら、従来の扉開閉機構においては、開き止めレールが細長い形状であるので、その強度が十分でないという問題があった。その上、この開き止めレールにはガイド穴が設けられているので、開き止めレールの強度がさらに低下するという問題があった。例えば、開き止めレールを扉の回動中心軸の近く（ヒンジの近く）に配置する場合には、扉の開閉を行うときに、テコの原理により開き止めレールに大きな力が加わることになる。従って、このような場合には、開き止めレールに十分な強度が要求される。
【０００４】
また、従来の扉開閉機構では、開き止めレールにガイド穴が設けられているので、ガイド穴にユーザが誤って指を入れてしまうことがあり、安全性が損なわれるおそれがあるという問題があった。
【０００５】
本発明は、上記従来の問題を解決するためになされたもので、強度と安全性を高めることのできるカバー開閉装置を提供することを目的とする。
【課題を解決するための手段】
【０００６】
本発明のカバー開閉装置は、装置本体に取り付けられ、回動することにより開閉可能なカバーと、前記カバーに取り付けられ、前記カバーの開閉範囲を制限するストッパー部材と、を備え、前記ストッパー部材は、前記カバーに沿って延びる縁部を有する板状の板状本体と、前記板状本体の縁部に設けられ、前記ストッパー部材を前記カバーに固定するための固定部と、前記板状本体から突出するように設けられ、前記開閉範囲の最大開き位置まで前記カバーを開いた状態で前記装置本体に設けられた当接部に当接する開き止め部と、を備えた構成を有している。
【０００７】
この構成により、カバーを開閉範囲の最大開き位置まで開くと、装置本体の当接部にストッパー部材の開き止め部が当接して、カバーの開閉範囲が制限される。この場合、ストッパー部材は、固定部を介してカバーに強固に固定される。また、ストッパー部材は、板状本体を備えているので、十分な強度を有している。さらに、ストッパー部材が板状であるので、従来のようにユーザが誤って指を入れてしまうことがなく、安全性が向上する。
【０００８】
また、本発明のカバー開閉装置では、前記ストッパー部材は、前記カバーの回動中心軸の近傍に配置されており、前記固定部と前記開き止め部は、前記回動中心軸から放射状に延びる二つの縁部に設けられた構成を有している。
【０００９】
この構成により、ストッパー部材をカバーの回動中心軸の近くに配置することができるので、ストッパー部材のサイズを小さくすることが可能になる。この場合、カバーを開いたときに、テコの原理によりストッパー部材に大きな力が加えられるが、上述のようにストッパー部材が十分な強度を有しているので、従来に比べて十分な強度を保ったままストッパー部材を小型化することができる。
【００１０】
また、本発明のカバー開閉装置では、前記ストッパー部材は、前記カバーの内側の表面に取り付けられており、前記カバーを閉めた状態で前記装置本体の内部に収納される構成を有している。
【００１１】
この構成により、カバーを閉めたときにストッパー部材が装置本体の内部に収納される。これにより、装置本体から不要な突出物がなくなり、装置本体の外形寸法を小さくすることができる。また、装置本体から不要な突出物がないので、装置本体の外観も良好である。
【００１２】
また、本発明のカバー開閉装置では、前記ストッパー部材は、放熱用の孔部を備えており、前記放熱用の孔部は、前記カバーを閉めた状態で、前記装置本体に設けられた放熱用の開口部に対応する位置に配置されている構成を有している。
【００１３】
この構成により、カバーを閉めたときに、装置本体の開口部とストッパー部材の孔部が対応する位置に配置される。これにより、例えば、装置本体に発熱部品が備えられている場合などに、装置本体の開口部とストッパー部材の孔部から放熱を行うことができる。また、ストッパー部材に孔部を設けた分だけ、ストッパー部材を軽量化することができる。
【発明の効果】
【００１４】
本発明は、板状本体を備えたストッパー部材をカバーに設けることにより、強度と安全性を高めることができるという効果を有するカバー開閉装置を提供することができるものである。
【発明を実施するための最良の形態】
【００１５】
以下、本発明の実施の形態のカバー開閉装置について、図面を用いて説明する。このカバー開閉装置は、例えば電子機器の筐体等として用いられる。本実施の形態では、書留郵便処理装置として用いられる場合を例示する。
【００１６】
本発明の実施の形態のカバー開閉装置の構成を図１および図２を用いて説明する。図１は、カバー開閉装置の斜視図であり、図２は、カバー開閉機構の部分を拡大した斜視図である。なお、ここでは、カバー開閉機構に関する構成を中心に説明し、その他の構成については説明を省略する。
【００１７】
図１に示すように、カバー開閉装置１は、装置本体２と、装置本体２に取り付けられるカバー３を備えている。装置本体２は、底板４と、底板４の上に設けられる制御ボックス５と、制御ボックス５を囲む筐体フレーム６を備えている。この場合、装置本体２の筐体フレーム６の内部に、制御ボックス５が収納されているともいえる。ここでは、特に図示しないが、制御ボックス５の内部には、ＣＰＵやメモリなどが内蔵されている。
【００１８】
図２に示すように、制御ボックス５の側面上部には、ＣＰＵやメモリ等などからの発熱によって暖められた空気を外部へ排出するための放熱用開口部７が設けられている。また、筐体フレーム６の側面上部にも、制御ボックス５の放熱用開口部７に対応する位置に、制御ボックス５から排出された暖かい空気を外部へ排出するための放熱用開口部８が設けられている（図１参照）。本実施の形態では、制御ボックス５および筐体フレーム６の放熱用開口部７、８は、複数の小さい長孔で構成されている（図２参照）。この放熱用開口部７、８が、本発明の開口部に相当する。
【００１９】
また、制御ボックス５の側面上部には、後述するストッパー部材１１に当接する当接ピン９が突出して設けられている。この当接ピン９は、本発明の当接部に相当する。
【００２０】
図１および図２に示すように、制御ボックス５の上面には、左右一対のヒンジ部１０が取り付けられている。このヒンジ部１０は、略四角形状のカバー３の一辺に取り付けられている。このようにして、カバー３は、ヒンジ部１０を介して装置本体２に回動することにより開閉可能に取り付けられている。このヒンジ部１０を中心にしてカバー３が回動可能であり、このヒンジ部１０はカバー３の回動中心軸であるともいえる。また、このヒンジ部１０が取り付けられているカバー３の一辺は、カバー３の根端部であるともいえる。
【００２１】
カバー３の一方の側面には、カバー３の開閉範囲を制限するためのストッパー部材１１が取り付けられている（図１および図２参照）。ストッパー部材１１は、カバー３の側面の内側に取り付けられており、装置本体２の内部へ向けて突出するように設けられている。この場合、ストッパー部材１１は、ヒンジ部１０に近い側（カバー３の根端部に近い側）に取り付けられているおり、カバー３の回動中心軸の近傍に配置されているともいえる。
【００２２】
図１および図２に示すように、ストッパー部材１１は、板状の部材であり、略扇形の形状を有している。ストッパー部材１１は、板状本体１２の一方の縁部に設けられた固定部１３と、板状本体１２の他方の縁部に設けられた開き止め部１４を備えている。固定部１３は、ストッパー部材１１をカバー３の側面に固定するためのものであり、例えば取付けねじの挿通孔などである。固定部１３が設けられる一方の縁部は、カバー３に沿って延びているともいえる。開き止め部１４は、ストッパー部材１１の板状本体１２から突出して設けられており、後述するように、カバー３を最大開き位置まで開いたときに装置本体２の当接ピン９に当接するように構成されている。
【００２３】
この場合、固定部１３と開き止め部１４は、ストッパー部材１１の扇形の２辺に形成されているともいえる。ストッパー部材１１の扇形の中心は、カバー３の回動中心軸の近傍に配置されており、固定部１３と開き止め部１４は、カバー３の回動中心軸から放射状に延びる二つの縁部に設けられているともいえる。また、ストッパー部材１１の扇形の中心角は、カバー３の開閉範囲に応じて設定されており、本実施の形態では約９０度に設定されている。
【００２４】
また、図１および図２に示すように、ストッパー部材１１の板状本体１２には、放熱用の複数の孔部１５が設けられている。この孔部１５は、カバー３を閉めたときに、制御ボックス５および筐体フレーム６の放熱用開口部７、８に対応する位置に配置されている（図４参照）。また、この孔部１５は、ユーザの指が入らない程度の大きさであり、かつ、ストッパー部材１１の強度を十分に確保できる程度の大きさに設定されている。
【００２５】
なお、本実施の形態では、ストッパー部材１１は、金属製の板状部材であるが、十分な強度を確保することができれば樹脂製の板状部材であってもよい。また、本実施の形態では、ストッパー部材１１の形状が略扇形である場合を例示したが、ストッパー部材１１の形状は、十分な強度を確保することができる形状であれば如何なる形状であってもよく、例えば三角形状であってもよい。
【００２６】
以上のように構成されたカバー開閉装置１について、図３および図４を用いてカバー３を開閉するときの動作を説明する。図３は、カバー３を開いた状態のカバー開閉装置１の説明図であり、図４は、カバー３を閉じた状態のカバー開閉装置１の説明図である。
【００２７】
図３に示すように、カバー３の開閉範囲の最大開き位置までカバー３を開くと、ストッパー部材１１の開き止め部１４が制御ボックス５の当接ピン９に当接して、それ以上カバー３が開くことが制限される。
【００２８】
図４に示すように、カバー３を閉じたときには、ストッパー部材１１は装置本体２の内部に収納される。すなわち、カバー３を閉じた状態では、ストッパー部材１１は装置本体２の外部へ突出していない。
【００２９】
このような本発明の実施の形態のカバー開閉装置１によれば、板状本体１２を備えたストッパー部材１１をカバー３に設けることにより、強度と安全性を高めることができる。
【００３０】
すなわち、本実施の形態では、カバー３を開閉範囲の最大開き位置まで開くと、装置本体２の当接ピン９にストッパー部材１１の開き止め部１４が当接して、カバー３の開閉範囲が制限される。この場合、ストッパー部材１１は、固定部１３を介してカバー３に強固に固定される。また、ストッパー部材１１は、板状本体１２を備えているので、十分な強度を有している。さらに、ストッパー部材１１が板状であるので、従来のようにユーザが誤って指を入れてしまうことがなく、安全性が向上する。
【００３１】
また、本実施の形態では、ストッパー部材１１をカバー３の回動中心軸の近くに配置することができるので、ストッパー部材１１のサイズを小さくすることが可能になる。この場合、カバー３を開いたときに、テコの原理によりストッパー部材１１に大きな力が加えられるが、上述のようにストッパー部材１１が十分な強度を有しているので、従来に比べて十分な強度を保ったままストッパー部材１１を小型化することができる。
【００３２】
また、本実施の形態では、カバー３を閉めたときにストッパー部材１１が装置本体２の内部に収納される。これにより、装置本体２から不要な突出物がなくなり、装置本体２の外形寸法を小さくすることができる。また、装置本体２から不要な突出物がないので、装置本体２の外観も良好である。
【００３３】
また、本実施の形態では、カバー３を閉めたときに、制御ボックス５および筐体フレーム６の放熱用開口部７、８とストッパー部材１１の放熱用の孔部１５が対応する位置に配置される。これにより、例えば、制御ボックス５にＣＰＵやメモリなどの発熱部品が内蔵されている場合などに、制御ボックス５および筐体フレーム６の放熱用開口部７、８とストッパー部材１１の孔部１５から放熱を行うことができる。また、ストッパー部材１１に孔部１５を設けた分だけ、ストッパー部材１１を軽量化することができる。
【００３４】
以上、本発明の実施の形態を例示により説明したが、本発明の範囲はこれらに限定されるものではなく、請求項に記載された範囲内において目的に応じて変更・変形することが可能である。
【産業上の利用可能性】
【００３５】
以上のように、本発明にかかるカバー開閉装置は、強度と安全性を高めることができるという効果を有し、書留郵便処理装置などの電子機器の筐体等として用いられ、有用である。
【図面の簡単な説明】
【００３６】
【図１】本発明の実施の形態におけるカバー開閉装置の斜視図
【図２】カバー開閉機構の部分を拡大した斜視図
【図３】カバーを開いた状態のカバー開閉装置の説明図
【図４】カバーを閉じた状態のカバー開閉機構の説明図
【符号の説明】
【００３７】
１  カバー開閉装置
２  装置本体
３  カバー
７  放熱用開口部
８  放熱用開口部
９  当接ピン
１１  ストッパー部材
１２  板状本体
１３  固定部
１４  開き止め部
１５  放熱用の孔部
【図１】
2009091863.tif 000003
【図２】
2009091863.tif 000004
【図３】
2009091863.tif 000005
【図４】
2009091863.tif 000006